(57)【要約】【課題】本発明は家庭や事務所等に於いて、切花を活けることが簡単に行えると共に切花の日持ちが延び、且つ水の補給が殆ど不要となり、水を交換する手間がなくなり、多種類の花瓶やカゴなどの花器に対応させて花を簡単に活けることができると共に長時間横になっても切花の枯れる心配がない切花の水揚げ用ゴム容器を提供することを目的とする。【解決手段】膨張可能なゴム製袋状の容器本体１の上部に、切花の茎５を挿通させると容器本体１の内部が密閉可能となるゴム弁２を設ける構造とする。又、その容器本体１にゴム風船を用い、その形状を徳利形状或いは長首の徳利形状とするのが好ましい。また容器本体１の上端に鍔状の上縁片を設け、更にゴム弁２として、中央に切花用の挿通穴21を有した鉢形状にゴム薄板で形成させると良く、そのゴム弁２を２つ以上設けても良い。【選択図】図１
2010023857.tif 000002
【特許請求の範囲】
【請求項１】
膨張可能なゴム製袋状の容器本体（１）の上部に、切花の茎（５）を挿通させると前記容器本体（１）の内部が密閉可能となるゴム弁（２）を設けたことを特徴とする切花の水揚げ用ゴム容器。
【請求項２】
前記容器本体（１）の形状が、徳利形状或いは長首の徳利形状であり、且つ、それがゴム風船である請求項１記載の切花の水揚げ用ゴム容器。
【請求項３】
前記容器本体（１）の上端に、鍔状の上縁片（11）が設けられた請求項１又は２記載の切花の水揚げ用ゴム容器。
【請求項４】
前記ゴム弁（２）が、中央に切花用の挿通穴（21）を有した鉢形状のゴム薄板である請求項１記載の切花の水揚げ用ゴム容器。
【請求項５】
前記ゴム弁（２）が２つ以上設けられた請求項１又は４記載の切花の水揚げ用ゴム容器。
【請求項６】
前記ゴム弁（２）の代りに、柔軟性合成樹脂で形成された弁部材（３）を前記容器本体（１）の上部に装着させ、前記弁部材（３）が、切花の茎（５）を挿通させるための挿通穴（31）を有すると共に鍔状の上縁片（32）を設けて成された請求項１記載の切花の水揚げ用ゴム容器。
【発明の詳細な説明】
【技術分野】
【０００１】
本発明は容器本体に切花を１本挿し、それを花瓶やカゴなどの花器に１つ以上入れて花を活けるための切花の水揚げ用ゴム容器に関する。
【背景技術】
【０００２】
従来、切花を花器に活けた後、毎日水を交換するのが一般的であった。また切花の日持ちを良くするために、容器本体に切花を１本挿し、それを花瓶やカゴなどの花器に１つ以上入れて花を活けるための切花鮮度保持容器として、実公平２−４６６６８号が提案されている。これは、可撓性を有した合成樹脂にて、所定長さを有する円柱状に形成した容器本体とし、その上端開口部に、膨張性を有する吸水性樹脂或いはその複合吸水性材料にて、中央部に切花の茎挿通孔を有する円盤状に形成した止水栓を保持せしめた構造のものであった（図５参照）。
【０００３】
又、実公平２−４６６６８号の目的は、特にラン類のように保水を必要とする種類の切花を生産者から花市場や花店を経由して、最終消費者である購入者の手に、切花の鮮度が保持されたままの状態で渡すことが可能となるようにしたものである。この時、止水栓は水に濡れて膨張し、切花の茎を挿通孔に通すと、上端開口部は止水されるので、容器から水が漏れ出にくくしている。
【０００４】
しかしながら実公平２−４６６６８号は、容器本体の形状が円柱状で、試験管のように下端部が曲面であり、且つ、尖がっているため、自立で起立状態を保持することはできず、必ず支持部材を有した花瓶やカゴなどの花器或いは専用容器に入れて運搬しなければならなかった。又、容器本体が長時間倒れたままでいると、止水栓は水で膨張して、切花の茎と挿通孔の隙間や、容器本体と止水栓との隙間を一時的に止めることは可能であるが、時間の経過に伴って、吸水性樹脂或いはその複合吸水性材料にて一旦吸引される水が、じわじわと吸水性樹脂或いはその複合吸水性材料を介して容器本体の外へ漏れ出てしまう問題点があった。
【０００５】
尚、実公平２−４６６６８号を家庭や事務所等で使用する際には、使い勝手が悪く、これは業務用に使用するために考案されたものと考えられる。
【特許文献１】実公平２−４６６６８号公報
【発明の開示】
【発明が解決しようとする課題】
【０００６】
本発明は家庭や事務所等に於いて、切花を活けることが簡単に行えると共に切花の日持ちが延び、且つ水の補給回数が減少でき、給水の手間が殆ど掛からない切花の水揚げ用ゴム容器を提供することを目的とする。
【０００７】
他の目的は、ゴム製であるため、花器の大きさや形状に合せて変形し、多種類の花瓶やカゴなどの花器に対応させて花を活けることが簡単に行えると共に長時間横になっても水零れが殆どなく、且つ、水の交換を行わなくても切花の枯れる心配が殆どない切花の水揚げ用ゴム容器を提供するにある。
【課題を解決するための手段】
【０００８】
本発明は上記欠点を解消するために成されたものであり、つまり、膨張可能なゴム製袋状の容器本体の上部に、切花の茎を挿通させると容器本体の内部が密閉可能となるゴム弁を設ける構造とする。又、その容器本体にゴム風船を用い、その形状を徳利形状或いは長首の徳利形状とするのが好ましい。また容器本体の上端に鍔状の上縁片を設け、更にゴム弁として、中央に切花用の挿通穴を有した鉢形状にゴム薄板で形成させると良く、そのゴム弁を２つ以上設けたものとしても良い。またゴム弁の代りに、弁部材を容器本体の上部に装着させるものとしても良い。
【発明の効果】
【０００９】
請求項１のように膨張可能なゴム製袋状の容器本体（１）の上部内壁に、切花の茎（５）を挿通させた後にその内部が密閉可能となるゴム弁（２）を設けることにより、家庭や事務所等に於いて、切花を活けることが簡単に行えると共に切花の日持ちが延び、且つ水の補給が殆ど不要となり、水の交換の手間が殆ど掛からないものとなる。又、ゴム製であるため、花器（４）の大きさや形状に合せて変形し、多種類の花瓶やカゴなどの花器（４）に対応させて花を活けることが簡単に行えると共に長時間横になっても水零れが殆どないため切花の枯れる心配がなく、室内に犬や猫を飼っていても安心である。
【００１０】
請求項２のように容器本体（１）として、徳利形状或いは長首の徳利形状のゴム風船を用いることにより、花器（４）に入れ易く、且つ、容器本体（１）が多種類の花瓶やカゴなどの花器（４）に対応できるものとなる。
【００１１】
請求項３に示すように容器本体（１）の上端に、鍔状の上縁片（11）を設けることにより、容器本体（１）内部に水を入れる際、上縁片（11）を持って蛇口から簡単に給水することが可能となる。
【００１２】
請求項４に示すようにゴム弁（２）として、中央に切花用の挿通穴（21）を有した鉢形状のゴム薄板で形成することにより、容器本体（１）と一体に成型することにより、量産が可能で且つ安価に提供できるものとなる。
【００１３】
請求項５のようにゴム弁（２）を２つ以上設けることにより、容器本体（１）が長時間に渡って倒れたままであっても、水漏れがより外部に出にくいものとなる。
【００１４】
請求項６のようにゴム弁（２）の代りに、柔軟性合成樹脂で形成された弁部材（３）を容器本体（１）の上部に装着させ、且つ、弁部材（３）として、挿通穴（31）を有すると共に鍔状の上縁片（32）を設けたものとすることにより、市販されているゴム風船の上部に弁部材（３）を簡単に装着させることが可能となり、ゴム風船である容器本体（１）の交換も行えるものとなる。
【発明を実施するための最良の形態】
【００１５】
図１は本発明の実施形態を示す図であり、この図に基づいて説明する。（１）は膨張可能なゴム製袋状の容器本体であり、該容器本体（１）としては、徳利形状或いは長首の徳利形状のゴム風船とするのが好ましい。又、前記容器本体（１）の上端には鍔状の上縁片（11）を図２（ｂ）や図２（ｃ）のように形成させたものとしても良い。前記ゴム風船の収縮時の大きさは全長５０mm前後、最大幅７０mm前後で、且つゴムの厚さは0.3mm〜0.6mm前後が使用し易いが、この値に限定されるものではない。
【００１６】
（２）は容器本体（１）の上部、つまり、開口付近の内壁内面に設けたゴム弁であり［図２（ａ）参照］、該ゴム弁（２）は、切花の茎（５）を挿通させた時に容器本体（１）の内部が密閉可能とするための役目を果す。又、前記ゴム弁（２）は、中央に切花用の挿通穴（21）を有した鉢形状のゴム薄板で形成すると良く、また前記ゴム弁（２）は必要に応じて２つ以上設けると良い。前記ゴム弁（２）は容器本体（１）と一体成型させておくのが好ましい。
【００１７】
（３）はゴム弁（２）の代りに、柔軟性合成樹脂で形成させると共に容器本体（１）の上部に装着させるための弁部材であり、該弁部材（３）としては、中央に挿通穴（31）を有すると共に前記上縁片（11）に重ねて取付けるための鍔状の上縁片（32）が設けられている。又、前記弁部材（３）の筒部の外径は、容器本体（１）の上部内径よりも若干大きくし、弁部材（３）が容器本体（１）に圧入されるのが好ましい。（４）は本発明品を入れるための花瓶やカゴなどの花器である（図４参照）。
【００１８】
次に本発明の使用方法について説明する。先ず始めに容器本体（１）の内部に、図３（ａ）の白抜き矢印のように水を入れて容器本体（１）の全長が１００mm〜１２０mm前後になるまで入れ、その後、切花の茎（５）を容器本体（１）の上方から入れてゴム弁（２）の挿通穴（21）に挿通させる［図３（ｂ）参照］。この時、図２（ｂ）や図２（ｃ）のように上縁片（11）が設けられている場合は、上縁片（11）を手に持ち、蛇口から水を入れると、水がより入り易くなる。図３（ｂ）に示す状態のものを図４に示す花瓶やカゴなどの花器（４）に入れるだけで切花を活ける作業は終了するのである。
【００１９】
前記花器（４）に本発明品を利用して切花が活けられる場合について詳細に説明する。先ず切花を１本活ける場合について説明する。図４（ａ）に示すように内形が狭い花器（４）を利用する時は、図３（ｂ）の状態のものを入れると、容器本体（１）の大きさが花器（４）の内形に合せて納まる。また図４（ｂ）のように内形が広い花器（４）を利用する時は、図３（ｂ）の状態のものを入れると、容器本体（１）が傾いた状態で切花が活けられるものとなるのである。次に切花を複数本活ける場合について説明する。図４（ｃ）に示すような花器（４）を利用し、図３（ｂ）の状態のものを所定個数順次入れて、花器（４）の内部が一杯になるまで入れる。この時、容器本体（１）を順次花器（４）の底に着けて一杯になったら、その容器本体（１）の上に順次乗せて行くと、底に着けたものと、その上に乗せたものとに段差が付くため、切花の位置にも段差が付けられたものとなる。
【００２０】
次に本発明の作用について説明する。予め図３（ｂ）の状態のものを用意しておけば、大きさや形状が異なる多種類の花瓶やカゴなどの花器（４）であっても、該花器（４）の内形に合せて図３（ｂ）の状態のものを適宜個数納めるだけで、誰にでも簡単に切花を活けることが可能となり、且つ、切花の日持ちが延びると共に、密閉状態が確保されるので水の蒸発を激減させることができ、水の補給も不要で、水の交換の手間が殆ど掛からないものとなるため、家庭や事務所等で本発明品を使用すれば、使い勝手が極めて良いものとなる。この時、切花の茎（５）は、ゴム製の容器本体（１）が膨張している状態であるため、内部の水には常に図３や図４に示す矢印のように内圧が加わる。この内圧は切花の吸水性の補助となり、切花の吸水性を向上させることにより、切花が長く新鮮さを保つものとなる。又、本発明品を使用して切花が活けられると、室内で犬や猫などの小動物を飼っている場合、花器（４）がそれらの小動物によって倒されても、図３（ｃ）に示すように密閉状態が確保されるので、水が零れ出ないものとなる。尚、本発明品を利用してバラの切花を活けたところ、１０日間水を交換してなくても、切花は枯れずに維持できることが実験結果から確認された。この理由としては、水が密閉され、新たな空気の接触がなくなるため、水が極めて腐りにくくなると共に内圧によって切花の水揚げが良好になるものと考えられる。
【図面の簡単な説明】
【００２１】
【図１】本発明の実施形態を示す説明図である。
【図２】本実施形態の容器本体上部に設けた弁機構を示す説明図である。
【図３】本発明の使用状態及び密閉状態を示す説明図である。
【図４】本発明品が花器に収納された状態を示す説明図である。
【図５】従来品の実施形態を示す説明図である。
【符号の説明】
【００２２】
１  容器本体
11  上縁片
２  ゴム弁
21  挿通穴
３  弁部材
31  挿通穴
32  上縁片
５  切花の茎
【図１】
2010023857.tif 000003
【図２】
2010023857.tif 000004
【図３】
2010023857.tif 000005
【図４】
2010023857.tif 000006
【図５】
2010023857.tif 000007